(57)【要約】【課題】プッシュオンスイッチに関し、斜め押し操作に対しても軽快な節度感が得られるものを提供することを目的とする。【解決手段】凹部１１Ａ内底面に中央固定接点２と２ヶ所の外側固定接点３を備えたケース１１の外側固定接点３上に円環状の接触板１２を載置し、その接触板１２上に上方凸形で円形ドーム状の可動接点６を載せて、凹部１１Ａ上面を粘着シート７で粘着固定して構成したプッシュオンスイッチであって、その接触板１２に、下方に突出した略円錐台形状の支持突起１２Ａを備えさせ、斜め押し操作時に、支持突起１２Ａによって接触板１２の傾きが抑制されるように構成した。このため、斜め押し操作に対しても軽快な節度感が得られるものにできる。【選択図】図３
2011108541.tif 000002
【特許請求の範囲】
【請求項１】
上方開口の凹部内底面に配された中央固定接点とその中央固定接点から離れた位置に配された外側固定接点を備えた絶縁樹脂製のケースと、上記外側固定接点上に載置された円環状で導電性金属薄板からなる接触板と、その接触板上に載置され上方凸形のドーム状をした弾性金属薄板からなる可動接点を備えたプッシュオンスイッチであって、上記接触板に、上記ケースの凹部内底面に向かって突出する支持突起が設けられその支持突起で上記接触板の傾きが抑制される構成としたことを特徴とするプッシュオンスイッチ。
【請求項２】
外側固定接点が中央固定接点から離れた対称位置の２ヶ所に配され、接触板の支持突起が、その２ヶ所の外側固定接点位置で挟まれる２つのそれぞれの円弧状範囲の周方向における中央部に位置するように上記接触板を配置したことを特徴とする請求項１記載のプッシュオンスイッチ。
【請求項３】
ケースの凹部内底面に設けた窪み部に、接触板の支持突起が係合されて、上記接触板が位置決めされていることを特徴とする請求項１記載のプッシュオンスイッチ。
【請求項４】
中央固定接点と外側固定接点は、ケースの凹部内底面からの突出高さが同じになされていることを特徴とする請求項１記載のプッシュオンスイッチ。
【発明の詳細な説明】
【技術分野】
【０００１】
本発明は、各種電子機器の信号入力部等に用いられるプッシュオンスイッチに関するものである。
【背景技術】
【０００２】
近年、各種電子機器の信号入力部等には押圧操作を指先で軽く行え、かつその操作時に軽快な節度感が得られるタイプのプッシュオンスイッチが多く用いられている。
【０００３】
このような従来のプッシュオンスイッチについて、図５〜図７を用いて説明する。
【０００４】
図５は従来のプッシュオンスイッチの断面図、図６は同分解斜視図であり、同図において、１は、上方開口の凹部１Ａを有した絶縁樹脂製のケースで、その凹部１Ａ内底面の中央に円形の中央固定接点２とその中央固定接点２から離れた点対称位置の２ヶ所に矩形の外側固定接点３が独立状態で突出している。また、中央固定接点２および外側固定接点３のそれぞれと個別に繋がった端子４Ａ，４Ｂが、ケース１の外方へ導出されている。
【０００５】
５は、導電性を有した金属薄板から円環状に形成された接触板で、２ヶ所の上記外側固定接点３上に載置されている。
【０００６】
６は、上方凸形の円形ドーム状に膨らんだ弾性金属薄板からなる可動接点で、外周下端が上記接触板５上に載せられてケース１の凹部１Ａ内に収容され、中央部下面が中央固定接点２と間隔をあけて対峙している。この可動接点６は、接触板５を介して外側固定接点３と電気的に導通状態になっている。
【０００７】
７は、可撓性のある絶縁フィルムからなる粘着シートで、ケース１の凹部１Ａ上面を塞いで粘着されている。
【０００８】
以上のように構成された従来のプッシュオンスイッチについて、次にその動作を説明する。
【０００９】
上方から粘着シート７を介して可動接点６を押圧していき、その押圧力が所定の大きさを超えると、可動接点６が軽快な節度感を伴って下方凸形に弾性変形し、図７の動作状態の断面図に示すように、接触板５の中央孔下方に位置した中央固定接点２にドーム状中央部下面が接触する。これにより、可動接点６と接触板５を介して中央固定接点２と外側固定接点３との間が電気的に導通状態になり、対応する端子４Ａと端子４Ｂとの間でスイッチオン信号が得られる。
【００１０】
そして、上方からの押圧力を解除すると、可動接点６が軽快な節度感を伴って自身の弾性力で元の上方凸形のドーム状に弾性復帰し、元の図５に示すようにドーム状中央部下面が中央固定接点２から離れて、中央固定接点２と外側固定接点３との間が絶縁状態になり、対応する端子４Ａと端子４Ｂとの間でスイッチオフ信号が得られる。
【００１１】
ここに、上記接触板５は、可動接点６が外側固定接点３上に直接載置された構成であると、上述の押圧操作と押圧解除操作によって、可動接点６の外周下端が微摺動して矩形の外側固定接点３の上面および稜部が削られ、可動接点６と外側固定接点３との電気的な接触が不安定になることもあり、それを防止するために配されているものである。
【００１２】
なお、この出願の発明に関連する先行技術文献情報としては、例えば、特許文献１が知られている。
【先行技術文献】
【特許文献】
【００１３】
【特許文献１】特開２００８−７８０９０号公報
【発明の概要】
【発明が解決しようとする課題】
【００１４】
しかしながら、従来のプッシュオンスイッチは、接触板５が２ヶ所の外側固定接点３上に載置されているため、斜め方向から押圧操作された場合などには、接触板５の外側固定接点３に載っていない部分の下面がケース１の凹部１Ａ内底面に当接するように傾いて、押圧方向によっては操作感触が鈍化した節度感になることもあるという課題があった。
【００１５】
本発明は、このような従来の課題を解決するものであり、斜め押し操作に対し従来品よりも軽快な節度感が得られるプッシュオンスイッチを提供することを目的とする。
【課題を解決するための手段】
【００１６】
上記目的を達成するために本発明は、以下の構成を有するものである。
【００１７】
本発明の請求項１に記載の発明は、上方開口の凹部内底面に配された中央固定接点とその中央固定接点から離れた位置に配された外側固定接点を備えた絶縁樹脂製のケースと、上記外側固定接点上に載置された円環状で導電性金属薄板からなる接触板と、その接触板上に載置され上方凸形のドーム状をした弾性金属薄板からなる可動接点を備えたプッシュオンスイッチであって、上記接触板に、上記ケースの凹部内底面に向かって突出する支持突起が設けられその支持突起で上記接触板の傾きが抑制される構成としたことを特徴とするプッシュオンスイッチとしたものであり、従来品と同様に接触板を介在させているため、可動接点と外側固定接点との間の電気的な接触安定性が確保でき、さらにその接触板に設けた支持突起によって接触板の傾きが抑制されるので、斜め押し操作時などにも軽快な節度感が得られるプッシュオンスイッチを提供することができるという作用を有する。
【００１８】
請求項２に記載の発明は、請求項１記載の発明において、外側固定接点が中央固定接点から離れた対称位置の２ヶ所に配され、接触板の支持突起が、その２ヶ所の外側固定接点位置で挟まれる２つのそれぞれの円弧状範囲の周方向における中央部に位置するように上記接触板を配置したことを特徴とするものであり、少ない数の支持突起で効果的に接触板の傾きを抑制することができるという作用を有する。
【００１９】
請求項３に記載の発明は、請求項１記載の発明において、ケースの凹部内底面に設けた窪み部に、接触板の支持突起が係合されて、上記接触板が位置決めされていることを特徴とするものであり、支持突起で接触板の傾きを抑制することに加えて、接触板の外形を大きくすることなく回転規制も兼ね備えさせた構成にできるという作用を有する。
【００２０】
請求項４に記載の発明は、請求項１記載の発明において、中央固定接点と外側固定接点は、ケースの凹部内底面からの突出高さが同じになされていることを特徴とするものであり、ケースの製造が簡易であると共に、中央固定接点と外側固定接点との段差を接触板の厚みで設定でき、操作時の節度感にばらつきの少ないものが得られるという作用を有する。
【発明の効果】
【００２１】
以上のように本発明によれば、斜め押し操作に対し従来品よりも軽快な操作感触が得られるプッシュオンスイッチを実現することができるという有利な効果が得られる。
【図面の簡単な説明】
【００２２】
【図１】本発明の一実施の形態によるプッシュオンスイッチの断面図
【図２】同分解斜視図
【図３】図１の切断面に直交する方向の断面図
【図４】同動作状態の断面図
【図５】従来のプッシュオンスイッチの断面図
【図６】同分解斜視図
【図７】同動作状態の断面図
【発明を実施するための形態】
【００２３】
以下、本発明の実施の形態について、図１〜図４を用いて説明する。なお、従来の技術の項で説明した構成と同一構成の部分には同一符号を付して、詳細な説明を簡略化する。
【００２４】
（実施の形態）
図１は本発明の一実施の形態によるプッシュオンスイッチの断面図、図２は同分解斜視図、図３は図１の切断面に直交する方向の断面図であり、同図において、１１は上方開口の凹部１１Ａを備えた絶縁樹脂製のケースで、凹部１１Ａ内底面の中央に円形の中央固定接点２が突出して配され、その中央固定接点２から等距離離れた点対称位置の２ヶ所に矩形の外側固定接点３が突出して配されている。この中央固定接点２または外側固定接点３のそれぞれと繋がってケース１１の側壁から外方へ端子４Ａまたは４Ｂが延出している。
【００２５】
また、凹部１１Ａ内底面で、２ヶ所の外側固定接点３を結ぶ方向に直交し、中央固定接点２位置を通る等距離離れた点対称位置の２ヶ所に、下方の径が小さくなっていく略円錐台形状の窪み部１１Ｂが設けられている。なお、窪み部１１Ｂは、外側固定接点３で挟まれた各円弧状範囲の周方向における中央部に位置するように設けられている。
【００２６】
中央固定接点２および外側固定接点３はインサート成形されてケース１１に一体化されており、中央固定接点２と外側固定接点３の凹部１１Ａ内底面からの突出高さは同じ高さになされている。これであれば、中央固定接点２および外側固定接点３をインサート成形する際の突出高さ管理が容易で、安定して上記ケース１１を製造することができる。
【００２７】
１２は上面視円環状に一枚ものの導電性金属薄板から形成された接触板で、その円環幅における中間円周上で対向位置となる２ヶ所に、下方の径が小さくなっていく略円錐台形状で下方に突出した支持突起１２Ａが設けられている。この接触板１２は、平板面部分が２ヶ所の上記外側固定接点３上に載置され、支持突起１２Ａがケース１１の２ヶ所の窪み部１１Ｂに挿入されて係合されており、その状態で接触板１２はほぼ水平状態を保っている。なお、接触板１２が外側固定接点３に常接して電気的な導通状態が維持されるように、支持突起１２Ａの突出寸法は外側固定接点３の突出高さと窪み部１１Ｂの深さを加えた寸法より僅かに短い寸法に設定している。また、ケース１１の窪み部１１Ｂの形状は、支持突起１２Ａの先端側のほぼ半分が嵌る相似形状または同形状で、支持突起１２Ａが窪み部１１Ｂに係合した状態で大きながたつきが生じないように構成している。
【００２８】
以上のように、接触板１２は、２ヶ所の外側固定接点３に載った位置に加えて２ヶ所の支持突起１２Ａで維持されている。そして、この２ヶ所に設けた支持突起１２Ａのみによって効果的に接触板１２の傾きが抑制されるようになっている。
【００２９】
６は上方凸形の円形ドーム状をした弾性金属薄板からなる可動接点で、上記接触板１２上に常接状態に載せられ、中央部下面は接触板１２の中央孔を介して中央固定接点２と間隔をあけて対峙している。
【００３０】
７は、可撓性のある絶縁フィルムからなる粘着シートで、上記可動接点のドーム状中央部上面を粘着し、凹部１１Ａを塞いでケース１１の上面に粘着されている。
【００３１】
以上のように構成されたプッシュオンスイッチの動作を次に説明する。
【００３２】
まず、可動接点６の中央部に対応する粘着シート７の上面に押圧力を加えていき、その押圧力が所定の大きさを超えると、可動接点６が軽快な節度感を伴って下方凸形に弾性変形し、図４の動作状態の断面図に示すように、可動接点６の中央部下面が下方に対峙した中央固定接点２に接触する。その結果、可動接点６と接触板１２を介して中央固定接点２と外側固定接点３との間が電気的に導通し、対応する端子４Ａと端子４Ｂとの間でスイッチオン信号が得られる。
【００３３】
そして、押圧力を解除すると、軽快な節度感を伴って可動接点６が自身の弾性力で元の上方凸形のドーム状に弾性復帰し、元の図１に示すように、中央部下面が中央固定接点２から離れて、中央固定接点２と外側固定接点３との間が絶縁状態になり、対応する端子４Ａと端子４Ｂとの間でスイッチオフ信号が得られる。
【００３４】
ここに、粘着シート７を介して斜め上方から可動接点６に押圧力が加えられた場合は、可動接点６が載置されている接触板１２は支持突起１２Ａ下端がケース１１の窪み部１１Ｂの底部に当接するまでの極僅かな傾きは生じるが、支持突起１２Ａによってそれ以上傾くことはなく、接触板１２がほぼ水平状態のまま維持される。このため、可動接点６の弾性反転動作に伴う軽快な節度感は変わりなく得られ、可動接点６の弾性反転に応じて、その中央部下面が中央固定接点２に接触する。そして、押圧を解除すると、可動接点６は同様に軽快な節度感を伴って弾性復帰し、中央固定接点２から中央部下面が離れるようになる。
【００３５】
以上のように、斜め上方からの押圧操作に対しても、接触板１２は、外側固定接点３と支持突起１２Ａとのほぼ等間隔の４ヶ所で支持されるので、傾くことがなく、常時、可動接点６の挙動に応じて軽快な節度感が得られるものにできる。さらに、ケース１１の窪み部１１Ｂに接触板１２の支持突起１２Ａを係合状態に嵌め込んでいるため、接触板１２は回転することもなく位置決めされて上記支持箇所も定まった位置となるため、安定した良好な操作感触が維持できるものになる。
【００３６】
また、当該構成では、中央固定接点２および外側固定接点３の凹部１１Ａ内底面からの突出高さを同じ高さのものとしているが、外側固定接点３上に、一枚ものの金属薄板から形成された接触板１２を載置するため、その厚み寸法だけ可動接点６の動作距離が長くなる。可動接点６の外周下端位置より中央部の方が低くなる方が可動接点６の弾性反転、復帰動作においては良好な節度感が得られる上、接触板１２の厚みを適宜設定することで安定した所望の操作感触が得られるものとして実現できる。
【００３７】
以上のように、本実施の形態によれば、接触板１２を介在させているため可動接点６と外側固定接点３との間の接触安定性に優れ、さらにその接触板１２に設けた支持突起１２Ａがケース１１の内底面部分に当接して接触板１２の傾きが抑制されるように構成しているため、斜め方向からの押圧操作に対しても安定して軽快な節度感が得られるプッシュオンスイッチに実現できる。
【００３８】
また、接触板１２が上述した４ヶ所の位置関係で支持されるようにケース１１の凹部１１Ａ内底面位置に窪み部１１Ｂを設け、その窪み部１１Ｂに支持突起１２Ａを係合させているため、接触板１２の外形を大きくすることなく接触板１２の位置決めおよび回転規制がなされたものにできる。
【００３９】
なお、ケース１１の凹部１１Ａ内底面に設けた窪み部１１Ｂの形状は、略円錐台形状のものに限られることはなく、球形、矩形などその他の形状でもよく、接触板１２に設けた支持突起１２Ａが係合して回転規制がなされる形状であればよい。また、同様に接触板１２の支持突起１２Ａの形状も、略円錐台形状のもののみに限られることはない。さらに、窪み部１１Ｂの配設位置も上記に説明した以外の位置に配設してもよく、係合箇所の数も２ヶ所に限定されることはない。
【００４０】
また、上述のケース１１は凹部１１Ａ内底面に窪み部１１Ｂを設けた構成のものとしたが、上記窪み部１１Ｂを設けない構成としてもよく、その場合は接触板１２が外側固定接点３に常接して電気的な導通状態が維持されるように、支持突起１２Ａの突出寸法を、ケース１１の凹部１１Ａ内底面からの外側固定接点３の突出寸法より僅かに短い寸法に設定すればよい。そして、その場合には接触板１２の回転規制がなされる構成も付加しておくことが好ましい。
【００４１】
なお、本発明は、接触板に支持突起を備えさせて、斜め押し操作時にも接触板がほぼ水平状態に維持されるようにしたものであるが、これとは逆にケースの凹部内底面に上方への突起部を設けて、それで接触板の傾きを抑制させる構成としてもよい。
【産業上の利用可能性】
【００４２】
本発明によるプッシュオンスイッチは、斜め押し操作に対し従来品よりも軽快な操作感触が得られるものに実現することができ、主に各種電子機器の信号入力部等に有用である。
【符号の説明】
【００４３】
２  中央固定接点
３  外側固定接点
４Ａ，４Ｂ  端子
６  可動接点
７  粘着シート
１１  ケース
１１Ａ  凹部
１１Ｂ  窪み部
１２  接触板
１２Ａ  支持突起
【図１】
2011108541.tif 000003
【図２】
2011108541.tif 000004
【図３】
2011108541.tif 000005
【図４】
2011108541.tif 000006
【図５】
2011108541.tif 000007
【図６】
2011108541.tif 000008
【図７】
2011108541.tif 000009